(57)【要約】【課題】パルス信号が正確に受信されたことを使用者に知らせることができるパルス信号受信装置を提供する。【解決手段】テレビ１のマイコン９は、受光部８で受光した赤外線パルス信号を判定する判定部９１と、判定部９１での判定結果に応じた音声信号を生成する音声発生部９２とを備えている。判定部９１は、受光部８で受信した赤外線パルス信号の表すコードを判定する。音声発生部９２は、判定部９１で判定したリモコンコードに基づき、音声信号を生成する。例えば、リモコンコードの論理値“１”を“周波数１０ＫＨｚの高音を所定時間（０．１秒間）出音”、論理値“０”を“周波数５０Ｈｚの低音を所定時間（０．１秒間）出音”を表す音声データに置き換えて、音声信号を生成する。【選択図】  図１
2010098552.tif 000002
【特許請求の範囲】
【請求項１】
パルス信号の各ビットの論理値を判定する論理値判定手段と、
論理値毎に定められた周波数の音声データに基づき、前記論理値判定手段が論理値を判定したパルス信号に対応する音声信号を生成する音声信号生成手段と、
前記音声信号生成手段が生成した音声信号に基づき出音を行う出音手段とを備えることを特徴とするパルス信号受信装置。
【請求項２】
受信したパルス信号に応じた処理を行う放送受信装置であって、
請求項１に記載のパルス信号受信装置を備えたことを特徴とする放送受信装置。
【請求項３】
リモコンコードの各ビットの論理値を判定する論理値判定手段と、
論理値毎に定められた周波数の音声データに基づき、前記論理値判定手段が論理値を判定したリモコンコードに対応する音声信号を生成する音声信号生成手段と、
前記音声信号生成手段が生成した音声信号に基づき出音を行う出音手段とを備えることを特徴とするリモコン受信装置。
【請求項４】
ワイヤレスリモコンからの送信信号を受信して、受信信号に含まれるリモコンコードに応じた処理を行う放送受信装置であって、
請求項３に記載のリモコン受信装置を備えたことを特徴とする放送受信装置。
【発明の詳細な説明】
【技術分野】
【０００１】
本発明は、パルス信号の受信装置、及び該受信装置を用いたリモコン受信装置並びに放送受信装置に関する。
【背景技術】
【０００２】
ワイヤレスリモコンやＩｒＳＳ（Ir Simple Shot）出力機器等のワイヤレス送信器を用いる場合、受信側の機器による信号受信を使用者が認識するのが難しかった。このため、ワイヤレス送信器と相手側の機器との間での信号の送受信が正確に行われていないことを、使用者に認識させる手段が提案されている。
【０００３】
例えば、特許文献１では、ワイヤレスリモコンの電源回路部に電圧検出回路を設け、この電圧検出回路の出力電圧が所定値になると、ワイヤレスリモコンが送信コードに電池交換信号を付加する。この電池交換信号を判読した相手側のマイコンは、電池の交換が必要なことを知らせる音声をスピーカーから出音する。
【０００４】
また、特許文献２では、送信器に設けられた検出回路で電池の消耗を検出すると、そのことを示すコード信号を送信器が送出する。このコード信号を受信した相手側のテレビジョン受像機等は、電池が消耗したことをスクリーンの表示部に表示する。
【０００５】
【特許文献１】特開平６−１５３２６８号公報
【特許文献２】特開平８−２８９３７４号公報
【発明の開示】
【発明が解決しようとする課題】
【０００６】
ワイヤレス送信器を用いる場合、様々な原因で信号を正確に受信できないことがある。例えば、赤外線リモコンでは、リモコン送信装置の故障や電池切れ、受信側の機器の故障、両者間の距離が長い、照射方向が不適切、両者間に遮蔽物が存在する等して、リモコン操作に応じた動作が受信側で行われない場合がある。これらの場合、動作が行われないことを実際に確認しないと、使用者はそのことを認識できなかった。このため、信号の送受信が正確に行われたことを、使用者が認識できるようにすることが望まれている。しかも、ワイヤレス送信器から送信される様々な信号に応じた音声の出音を行う場合、出音する音声毎に音声データを用意しておく必要があった。
【０００７】
本発明は斯かる課題に鑑みてなされたもので、上記課題を解決できるパルス信号受信装置、リモコン受信装置、及び放送受信装置を提供することを目的とする。
【課題を解決するための手段】
【０００８】
このような目的を達成するために、本発明のパルス信号受信装置は、パルス信号の各ビットの論理値を判定する論理値判定手段と、論理値毎に定められた周波数の音声データに基づき、前記論理値判定手段が論理値を判定したパルス信号に対応する音声信号を生成する音声信号生成手段と、前記音声信号生成手段が生成した音声信号に基づき出音を行う出音手段とを備えることを特徴とする。
また、本発明の放送受信装置は、受信したパルス信号に応じた処理を行う放送受信装置であって、上記パルス信号受信装置を備えたことを特徴とする。
また、本発明のリモコン受信装置は、リモコンコードの各ビットの論理値を判定する論理値判定手段と、論理値毎に定められた周波数の音声データに基づき、前記論理値判定手段が論理値を判定したリモコンコードに対応する音声信号を生成する音声信号生成手段と、前記音声信号生成手段が生成した音声信号に基づき出音を行う出音手段とを備えることを特徴とする。
また、本発明の放送受信装置は、ワイヤレスリモコンからの送信信号を受信して、受信信号に含まれるリモコンコードに応じた処理を行う放送受信装置であって、上記リモコン受信装置を備えたことを特徴とする。
【発明の効果】
【０００９】
本発明によれば、パルス信号の各ビットの論理値に対応付けられた音声データに基づき、受信したパルス信号に対応する音声を出音することで、パルス信号が受信されたことを使用者に知らせることができる。
【発明を実施するための最良の形態】
【００１０】
以下、図面を参照して、本発明の最良の形態を説明する。
図１は、本実施形態の放送受信装置（以下テレビ１）の構成の概略を示すブロック図である。
【００１１】
テレビ１は、映像入力信号を処理して表示画面３に映像表示する映像処理部（映像処理ＩＣ）２と、音声入力信号を処理してスピーカ５から出音する音声処理ＩＣ（音声処理ＩＣ）４と、各部の動作を制御するマイコン９とを備えている。マイコン９には、ユーザに操作される本体キー６と、表示用のＬＥＤを備えたＬＥＤ部７と、リモコン１１又はＩｒＳＳ出力機器１２から出力された赤外線パルス信号を受信する受光部８と、音声ＭＩＸ部１０とが接続されている。
【００１２】
マイコン９は、受光部８で受光した赤外線パルス信号を判定する判定部９１と、判定部９１での判定結果に応じた音声信号を生成する音声発生部９２とを備えている。音声発生部９２で生成された音声信号は、音声処理ＩＣ４で生成された音声信号と共に、音声ＭＩＸ部１０からスピーカ５に供給される。
【００１３】
判定部９１は、受光部８で受信した赤外線パルス信号の表すコードを判定する。以下、判定部９１で判定されるコードについて、リモコン１１から送信されたパルス信号が表すリモコンコードを例に挙げて説明する。図２は、リモコンコードの構成を概念的に示す図である。
【００１４】
リモコンコードは、リモコン１１のキー１１ａ（図１参照）毎に定められており、システムコード，データコード，判定コードを含むＣ１〜Ｃ１５の合計１５ビットで構成されている。図２では、“ＯＮ”，“ＳＴＡＮＤＢＹ”等のリモコン１１が備える一部のキー１１ａについてのリモコンコードを例示している。
【００１５】
システムコードは、リモコン１１が赤外線パルス信号を送信する対象を特定するためのコードであり、Ｃ１〜Ｃ５の５ビットで構成されている。図２に示す例では、全てのキー１１ａのリモコンコードについて、テレビ１を示す論理値“１０１１０”がシステムコードとして定められている。
【００１６】
データコードは、キー１１ａの種別を特定するためのコードであり、Ｃ６〜Ｃ１３の８ビットで構成されている。図２に示す例では、“ＯＮ”キーに論理値“０１１１１０１０”が、“ＳＴＡＮＤＢＹ”キーに論理値“１００１１１００”が、他のキーにも図２に示す論理値のコードがそれぞれデータコードとして定められている。
【００１７】
判定コードは、リモコン１１からの送信信号のデータ化けを判定するためのものであり、Ｃ１４，Ｃ１５の２ビットで構成されている。図２に示す例では、全てのキー１１ａのリモコンコードについて、論理値“１０”が判定コードとして定められている。判定コードの示されたＣ１４，Ｃ１５の各ビットがそれぞれ論理値“１”，“０”でないと、データ化けとして処理される。
【００１８】
リモコン１１で何れかのキー１１ａが操作されると、そのキー１１ａに対応付けられた図２に示す表コードと、この表コードと論理値“０”，“１”を反転させた裏コードとが、組となってリモコン１１から送信される。裏コードは、システムコード，データコード，及び判定コードのうち、データコード，判定コードの論理値“０”，“１”を、表コードと反転させた構成を有している。判定部９１により、表コード及び裏コードの組が成立しているかが判定され、データ化けの検出精度が高められている。
【００１９】
図１に示す音声発生部９２は、判定部９１で判定したリモコンコードに基づき、音声信号を生成する。例えば、リモコンコードの論理値“１”を“周波数１０ＫＨｚの高音を所定時間（０．１秒間）出音”を表す音声データに、また、論理値“０”を“周波数５０Ｈｚの低音を所定時間（０．１秒間）出音”を表す音声データに、それぞれ置き換えて音声信号を生成し、リモコンコードのＣ６〜Ｃ１３の各ビットの論理値の組み合わせに応じた音声を合計０．８秒間出音させる。
【００２０】
リモコンコードが“ＲＧＢ／ＣＯＭＰ”キーに対応する論理値“１０１１０１０１０１１００１０”（図２参照）である場合には、このリモコンコードのデータコードに対応する８ビット分の音声信号は、図３に示す波形の音声を指示するものとなる。図３に示す音声信号は、論理値“１”に対応する高音，論理値“０”に対応する低音と続き、その後、高音，低音，高音，高音，低音，低音と定められる。なお、図３に示す波形は、出力音声を模式的に図示したもので、５０Ｈｚと１０ＫＨｚの各音波のサイクル数は、実際のものとは一致していない。
【００２１】
以下、リモコン１１の何れかのキー１１ａの操作時に出音を行うための音声出力処理について説明する。図４及び図５は、音声出力処理の処理の概略を示すフローチャートである。
【００２２】
この音声出力処理では、マイコン９は、リモコンコードを表す赤外線パルス信号のパルス入力が受光部８にあるか否かを判別する（図４，Ｓ１）。この判別が“Ｎｏ”だと、Ｓ１の処理が繰り返される。受光部８にパルス入力がありＳ１の判別が“Ｙｅｓ”になると、マイコン９は、リモコンコードの各パルスの論理値“０”／“１”を判定部９１で判定し（Ｓ２）、判定結果に応じて表コードに対応する音声信号を音声発生部９２で生成する（Ｓ３）。
【００２３】
次に、マイコン９は、リモコンコードの一連のコード（表コード及び裏コード）をデータ化けなく正確に受信したか否かを判別し（Ｓ４）、この判別が“Ｎｏ”だと、処理をＳ１に戻して上述の処理を繰り返す。
【００２４】
リモコンコードの受信が終了してＳ４の判別が“Ｙｅｓ”になると、マイコン９は、操作されたのがＳＴＡＮＤＢＹキーであるか否か、つまり、判定部９１で判定したデータコードがＳＴＡＮＤＢＹキーに対応付けられているか否かを判別する（図５，Ｓ５）。この判別が“Ｙｅｓ”だと、マイコン９は、ＳＴＡＮＤＢＹ動作を実行し（Ｓ６）、続いて、ＳＴＡＮＤＢＹキーに応じた音声出力、つまり、Ｓ３で生成した音声信号の出力を行う（Ｓ７）。
【００２５】
Ｓ５の判別が“Ｎｏ”の場合、マイコン９は、操作されたのがＣＨＵＰキー（▲キー）であるか否かを判別する（Ｓ８）。この判別が“Ｙｅｓ”だと、マイコン９は、ＣＨＵＰ動作を実行し（Ｓ９）、続いて、ＣＨＵＰキー（▲キー）に応じた音声出力を行う（Ｓ１０）。Ｓ８の判別が“Ｎｏ”の場合、マイコン９は、操作されたのがＣＨＤＯＷＮキー（▼キー）であるか否かを判別する（Ｓ１１）。
【００２６】
Ｓ１１の判別が“Ｙｅｓ”だと、マイコン９は、ＣＨＤＯＷＮ動作を実行し（Ｓ１２）、続いて、ＣＨＤＯＷＮキー（▼キー）に応じた音声出力を行う（Ｓ１３）。操作キー１１ａに応じた処理及び音声出力が実行され（図５に示す例ではＳ７，Ｓ１０，Ｓ１３の処理が実行され）、また、判定部９１で判定したリモコンコードが何れのキー１１ａにも対応しておらずにＳ１１の判別が“Ｎｏ”だと、音声出力処理は終了する。
【００２７】
なお、図４，図５を用いた説明では、リモコン１１が備えるキー１１ａのうち、ＳＴＡＮＤＢＹキー，ＣＨＵＰキー（▲キー），ＣＨＤＯＷＮキー（▼キー）について音声出力を行う場合の処理を例示したが、図２に示す各キー１１ａ等のリモコン１１が備える他のキー１１ａについても、ＳＴＡＮＤＢＹキー等と同様の処理を実行することで音声出力が行われる。
【００２８】
本実施形態によれば、リモコンコードの各ビットの論理値に対応付けられた音声データに基づき、受信したリモコンコードに対応する音声を出音することで、リモコン１１の操作信号が正確に受信されたことを使用者に知らせることができる。しかも、論理値毎に定められた音声データを用意しておけば、リモコンコードの様々なパルス信号に応じた音声を出音できることから、出音に必要なデータ量も少なく抑えることができる。
【００２９】
上記実施形態では、判定部９１で判定したリモコンコードに基づき音声発生部９２が音声信号を生成し、スピーカ５から出音する場合について説明した。同様に、ＩｒＳＳ出力機器１２から出力されるパルス信号に対しても判定部９１で判定し、判定した論理値の組み合わせに応じた音声信号を音声発生部９２で生成することができる。
【００３０】
また、上記実施形態では、受光部８で受信した赤外線パルス信号の論理値に基づき、音声発生部９２が音声信号を生成した場合について説明した。しかしながら、他の光学的又は磁気的なパルス信号の論理値に基づき、音声発生部９２が音声信号を生成してもよい。
【００３１】
また、コードの論理値０，１に対応付ける音声の態様は任意であり、上記実施形態での態様には限定されない。例えば、論理値０を高音，論理値１を低音としてもよい。また、論理値毎に定められた音の周波数及び出音時間も任意である。また、上記実施形態では、論理値毎に定められた音の周波数や出音時間が、テレビ１のメモリに予め記憶されている場合について説明したが、リモコン１１のキー１１ａや本体キー６等の操作で、これらを設定できるようにしてもよい。
【００３２】
また、上記実施形態では、リモコンコードのデータコードの論理値に対応する音声信号を、音声発生部９２が生成する場合について説明した。しかしながら、リモコン１１のキー１１ａの種類を区別できるのであれば、データコードのみについて音声信号を生成する必要はなく、例えば、リモコンコードの全ての論理値について音声信号を生成する構成としてもよい。
【図面の簡単な説明】
【００３３】
【図１】本発明の一実施形態の放送受信装置の構成の概略を示すブロック図である。
【図２】図１に示すリモコンの送信信号が表すリモコンコードの構成を概念的に示す図である。
【図３】リモコンコードに基づき出音される音声の一例を説明する図である。
【図４】図１に示すマイコンが実行する音声出力処理の処理の概略を示す第１のフローチャートである。
【図５】図１に示すマイコンが実行する音声出力処理の処理の概略を示す第２のフローチャートである。
【符号の説明】
【００３４】
１        テレビ
２        画像処理ＩＣ
４        音声処理ＩＣ
５        スピーカ
８        受光部
９        マイコン
１０      音声ＭＩＸ部
１１      リモコン
１２      ＩｒＳＳ出力機器
９１      判定部
９２      音声発生部
【図１】
2010098552.tif 000003
【図２】
2010098552.tif 000004
【図３】
2010098552.tif 000005
【図４】
2010098552.tif 000006
【図５】
2010098552.tif 000007